(57)【要約】【課題】  手の動きの拘束と、一定範囲内で手を動かすことを可能とするという、相反する機能を具備し、さらに必要に応じて手を簡単に露出できる医療介護用ソフト手袋を提供する。【解決手段】  すべての指を収納する手収納部１の掌側に、直径が３〜１０ｍｍの発泡スチロールなどからなる球状のペレットを充填した袋状の仕切り５を設け、甲側のほぼ中央意に指と平行な方向に開口部２を設けることで、医療介護用ソフト手袋を構成する。袋状の仕切り５を握ることで、被介護者の手指の運動機能劣化を抑制し、甲側の開口部２からの被介護者の手の露出を容易にすることで、家族などとのスキンシップを容易にし、手の状態確認を容易にすることができる。【選択図】図１
2016075015.tif 000002
【特許請求の範囲】
【請求項１】
すべての指を挿入する手収納部と、前記手収納部の掌側の部分に備えられてなる、ペレットが充填された袋状の仕切りと、前記手収納部の甲側の部分に、開閉手段を有する開口部を備えられてなることを特徴とする、患者または被介護者自身に装着させるための医療介護用ソフト保護手袋。
【請求項２】
前記ペレットは、直径が３〜１０ｍｍの球状の発泡高分子材料であることを特徴とする、請求項１に記載の医療介護用ソフト保護手袋。
【請求項３】
前記開閉手段は、甲のほぼ中央に、指と平行な方向に設けられ、開放することによって手のほぼ全体を露出することが可能であることを特徴とする、請求項１または請求項２に記載の医療介護用ソフト保護手袋。
【請求項４】
前記手収納部に連続して設けられてなる、前腕のほぼ中央部までを覆う腕カバーと、前記手収納部と前記腕カバーとの接合部分に設けられてなる手袋固定バンドとを有し、前記腕カバーを前記手収納側に折り返すことにより、前記手袋固定バンドを覆い隠すことが可能であることを特徴とする、請求項１ないし請求項３のいずれかに記載の医療介護用ソフト保護手袋。
【発明の詳細な説明】
【技術分野】
【０００１】  本発明は、点滴や胃ろうなどで使用する医療、介護用チューブを不必要に外さないため、及び痴呆症、認知症患者や被介護者、要看護者などの手を保護するために装着する医療介護用手袋に関するもので、特に使用時の不快感を低減するとともに、手を握れる自由を付与し、さらに必要に応じて手を露出できる構造を有する医療介護用手袋に関する。
【背景技術】
【０００２】  従来、点滴や胃ろうなどで使用するチューブは、テープなどで直接皮膚に留めたり、包帯を巻きつけたりして固定していた。チューブやオムツなどを被介護者や患者が不用意に外すことがあるため、対処法として、手指の動きを最小限に抑制する機能を有する医療介護用保護手袋を用いることがある。【０００３】  このような機能を備えた手袋として、特許文献１には、掌側と甲側が互いに外周部に設けられたファスナーで開閉自在に連結されて、手が挿入され、挿入された手の各指間に仕切りがない手袋部と、前記手袋部から手首側に延び、手首から抜けないようにする可撓性バンドを備えた手首部とから形成されることを特徴とする、危険防止手袋が開示されている。【０００４】  そして、この手袋においては、手袋部の甲側の表面に、手袋の装着時刻を含む介護記録紙を挿入可能なポケットを設けることで、着用開始時間の記録を表示可能とすることができ、状況に応じて容易に手袋内部の確認を可能であるとしている。しかし、この手袋は、外周に取り付けられたファスナーで使用者を傷つける虞が皆無とは言えず、改善の余地がある。【０００４】  また、特許文献２には、手が挿入されるように開口部が設けられた略楕円形状の本体と、該本体を手首に保持させる係止手段と、を備え、前記本体の手の掌側は、第１の帆布を表面にして、前記第１の帆布と裏地との間にフェルト部材を設けて構成され、前記本体の手の甲側は、指先側がゴースで形成されるとともに、手首側に第２の帆布を設けて構成された手を覆う抑制具が開示されている。【０００５】  この抑制具の係止手段としては、手を挿入する開口部から指先方向に向かって斜めに設けたファスナーを用いることで、快適な装着感と手の出し入れの容易性が確保できるとしている。しかし、この手袋は、構造がやや複雑で縫製コスト抑制の点で改善の余地がある。【０００６】  また、前記とは別の課題として、前記のような手袋を装着していると、手の動きが拘束されることから、長時間の使用によって、手の運動機能劣化を助長する可能性が否定できない。
【先行技術文献】
【特許文献】
【０００６】
【特許文献１】  実用新案登録第３１１４３７９号
【特許文献２】  実用新案登録第３１３８４０１号
【発明の概要】
【発明が解決しようとする課題】
【０００７】  医療介護用ソフト手袋に付与すべき機能として、不測の手の動きを拘束して、点滴などに用いるチューブを外さないようにすることだけでなく、一定の範囲で手を動かすことができて、被介護者の負担を軽減するとともに、リハビリテーションにも寄与し得ることも挙げられる。従って本発明の課題は、手の動きの拘束と、一定範囲内で手を動かすことを可能とするという、相反する機能を具備し、さらに必要に応じて着脱を容易に行える医療介護用ソフト手袋を提供することである。
【課題を解決するための手段】
【０００８】  本発明は、前記の課題に鑑み、従来の医療介護用ソフト保護手袋の構造を再検討した結果なされたものである。【０００９】  即ち、本発明は、すべての指を挿入する手収納部と、前記手収納部の掌側の部分に備えられてなる、ペレットが充填された袋状の仕切りと、前記手収納部の甲側の部分に、開閉手段を有する開口部を備えられてなることを特徴とする、患者または被介護者自身に装着させるための医療介護用ソフト保護手袋である。【００１０】  また、本発明は、前記ペレットが、直径が３〜１０ｍｍの球状の発泡高分子材料であることを特徴とする、前記の医療介護用ソフト保護手袋である。【００１１】  また、本発明は、前記開閉手段が、甲のほぼ中央に、指と平行な方向に設けられ、開放することによって手のほぼ全体を露出することが可能であることを特徴とする、前記の医療介護用ソフト保護手袋である。【００１２】  また、本発明は、前記手収納部に連続して設けられてなる、前腕のほぼ中央部までを覆う腕カバーと、前記手収納部と前記腕カバーとの接合部分に設けられてなる手袋固定バンドとを有し、前記腕カバーを前記手収納側に折り返すことにより、前記手袋固定バンドを覆い隠すことが可能であることを特徴とする、前記の医療介護用ソフト保護手袋である。
【発明の効果】
【００１３】  本発明に係る医療介護用ソフト手袋は、手全体を手収納部で覆う構造なので、親指の収納部を分離したミトンと異なり、親指とその他の指で、チューブなどを挟むことで、不用意に外した入り、ずらしたりすることを、未然に防止できる。【００１４】  また、掌部に握る対象物として、ペレットを充填した袋状の仕切りからなる膨らみを備え、握るという人間本来の機能を活かすことが可能で、安心感を生み、リハビリテーション効果も期待できる。そして、手の甲側に開口部を設けることにより、必要に応じて手を露出させることも容易で、家族などとのスキンシップや、手指の状態の観察も簡単に行える。また、甲側をメッシュタイプにすることで、通気性の確保も可能である。【００１５】  なお、本発明において、掌部の袋状の仕切りに収納するペレットを、直径が３〜１０ｍｍの球状の発泡高分子材料としたのは、３ｍｍ未満では、充填などの作業性や、握り易さにおいて、難点があり、１０ｍｍ以上では、ゴツゴツして手袋の感触や装着感が低下するからである。【００１６】  発泡高分子材料は、軽く、適度な柔軟性や可撓性を有しながら、弾性変形の限界が比較的大きく、握る動作を繰り返しても変形が生じ難いからである。具体的な材質としては、発泡スチロールや発泡ポリエチレンを用いることが望ましい。【００１７】  また、本発明に係る、医療介護用ソフト保護手袋には、手首に当接する部分に手袋固定バンドが設けられ、手収納部に連続して設けられた腕カバーを、手収納部側に折り返すことで、手袋固定バンドを覆い隠せるので、手袋の固定を確実にできるとともに、被介護者自身が不用意に外すことができない構造となっている。
【図面の簡単な説明】
【００１８】
【図１】  本発明に係る医療介護用ソフト手袋の一例を示す図、図１（ａ）は甲側、図１（ｂ）は掌側。
【図２】  本発明に係る医療介護用ソフト手袋の一例の、開口部を開放して手を露出した状態を示す図。
【発明を実施するための形態】
【００１９】  次に、具体的な図に基づき、本発明の実施の形態について説明する。
【００２０】  図１は、本発明に係る医療介護用ソフト手袋の一例を示す図で図１（ａ）は甲側、図１（ｂ）は掌側である。図１において、１は手収納部、２は開閉手段、３は手袋固定バンド、４は腕カバー、５は袋状の仕切りである。袋状の仕切り５には、直径が約５ｍｍの球状に成形した発泡スチロールのペレットが充填されている。ペレットとしては、発泡スチロールと同様の物性を備えた材料であれば、特に材質を選ばないことは、前記のとおりである。
なお、図１（ｂ）においては、袋状の仕切りが、掌の一部にのみ取り付けられているように記載されているが、袋状の仕切りを、掌全体に拡がるように設けることも可能である。
又手の甲側にもクッション性を持たせるために薄くペレットを配することも可能である。
【００２１】  図１に示した例では、手袋固定バンドの固定手段として、凹凸を嵌合させるタイプのスナップボタンを用いているが、例えばマジックテープ（登録商標）なども使用可能であることは勿論である。
【００２２】  図２は、本発明に係る医療介護用ソフト手袋の一例の、開閉手段を開放して手を露出した状態を示す図である。図２において、６は開口部の開閉手段を構成するファスナー、７は手である。本発明に係る医療介護用ソフト手袋においては、甲側のほぼ中央部に、指と平行な方向に開口部が設けられているので、図２に示したように手全体を容易に露出させることができる。なお、図２に示したのは、腕カバー４を、手収納部１側に折り返して、手袋収納バンド３を覆い隠した状態である。
【００２３】  以上に説明したように、本発明によれば、被介護者に安心感を与え、リハビリテーションにも寄与する、医療介護用ソフト手袋を提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２４】１  ・・・  手収納部
２  ・・・  開口部
３  ・・・  手袋固定バンド
４  ・・・  腕カバー
５  ・・・  袋状の仕切り
６  ・・・  ファスナー
７  ・・・  手
【図１】
2016075015.tif 000003
【図２】
2016075015.tif 000004